(57)【特許請求の範囲】
【請求項１】
施錠受け枠（７）に施錠受け具（７０）を、前記施錠受け枠（７）に当接する施錠掛け枠（１５）内に前記施錠受け具（７０）に係脱自在に係合する施錠掛け具（７１）を夫々備え、前記施錠掛け枠（１５）の前後方向の両側に、前記施錠掛け具（７１）を解除操作する解除操作手段（７２）と、鍵操作により前記施錠掛け具（７１）を施錠状態に錠止する錠止手段（７３）と、該錠止手段（７３）を鍵操作可能に覆う飾り台座（７４）とを備え、前記各飾り台座（７４）に前記各解除操作手段（７２）及び前記各錠止手段（７３）を装着した門扉において、内側の閉鎖空間（２７）を開放可能に備えた前記施錠掛け枠（１５）の前後両側に、前記各飾り台座（７４）を前記施錠掛け枠（１５）の内側からのみ着脱操作可能な固定具（８１，１４７）により固定し、前記施錠掛け枠（１５）は前記施錠受け枠（７）に当接する側で前記閉鎖空間（２７）を閉塞可能にしたことを特徴とする門扉。
【請求項２】
前記閉鎖空間（２７）内に前記施錠掛け具（７１）に連動する作動機構（７６）を配置し、前記飾り台座（７４）を前記施錠掛け枠（１５）に固定したときに、前記作動機構（７６）側の解除軸（７７）及び錠止軸（７８）が前記解除操作手段（７２）及び前記錠止手段（７３）に夫々係合するようにしたことを特徴とする請求項１に記載の門扉。
【請求項３】
前記施錠掛け枠（１５）は前後方向に複数個に分割された分割体（２６）と、その内部に形成された前記閉鎖空間（２７）とを備え、前記施錠掛け枠（１５）の前後の側壁（２８）を含む前記分割体（２６）の前記側壁（２８）に前記閉鎖空間（２７）側からネジ（８１）により前記飾り台座（７４）を固定したことを特徴とする請求項１又は２に記載の門扉。
【請求項４】
前記施錠掛け枠（１５）は前記側壁（２８）の一端側に内重なり部（３０）が、他方に外重なり部（３１）が夫々屈曲形成された断面略コ字状の一対の前記分割体（２６）を備え、該両分割体（２６）の前記内重なり部（３０）と前記外重なり部（３１）との重なり部（３０，３１）を、該重なり部（３０，３１）に対して前記施錠受け枠（７）側からネジ（４４，１４５）により締結合したことを特徴とする請求項３に記載の門扉。
【請求項５】
前記施錠掛け枠（１５）の前後一対の縦枠材（１１７）間に、前記施錠掛け具（７１）の作動機構（７６）が収容された施錠掛け箱（１１１）を設け、前記縦枠材（１１７）の前後方向の外側に前記飾り台座（７４）を配置し、前記施錠掛け箱（１１１）内の前記閉鎖空間（２７）側から前記各縦枠材（１１７）に挿通された前記固定具（１４７）により前記飾り台座（７４）を該縦枠材（１１７）に固定したことを特徴とする請求項１又は２に記載の門扉。
【請求項６】
前記施錠掛け箱（１１１）は前記施錠掛け具（７１）が取り付けられた取り付け板（１２７）と、該取り付け板（１２７）の裏側に配置され且つ該取り付け板（１２７）に対して前記施錠受け枠（７）側から固定具（１３３）により固定された裏板（１２９）とを備え、前後両端が前記縦枠材（１１７）側で閉塞されていることを特徴とする請求項５に記載の門扉。
【請求項７】
前記施錠掛け枠（１５）は外側から前記取り付け板（１２７）又は前記裏板（１２９）に固定され且つ前記各縦枠材（１１７）の凹溝（１１７ａ）に嵌合する閉塞板（１３１）を前後両側に備え、該閉塞板（１３１）側からネジ（１３７）により前記飾り台座（７４）を前記縦枠材（１１７）に固定したことを特徴とする請求項６に記載の門扉。
【請求項８】
前記縦枠材（１１７）の非平坦部（１２１ａ）と前記飾り台座（７４）との間に、前記非平坦部（１２１ａ）に当接する取り付け台座（１５０）を介在し、前記ネジ（１４７）の共締めにより前記飾り台座（７４）と前記取り付け台座（１５０）とを前記縦枠材（１１７）に固定したことを特徴とする請求項５〜７の何れかに記載の門扉。
【発明の詳細な説明】
【技術分野】
【０００１】
本発明は門扉、取り分けその施錠装置に関するものである。
【背景技術】
【０００２】
従来の伸縮門扉等の施錠装置は、施錠掛け枠を施錠受け枠に当接して出入口等を閉じたときに、施錠掛け枠の施錠用掛け具を施錠受け枠の施錠用受け具に係合して施錠し、開けるときには施錠掛け枠の解除レバーを操作して施錠用掛け具を施錠用受け具から外すようにしている。
【０００３】
しかし、施錠用掛け具を施錠用受け具に掛けて施錠するだけでは十分な安全性を確保することができない。このため安全面を重視する近年の施錠装置では、従来の施錠用掛け具、施錠用受け具、解除レバー等の他に、施錠用掛け具の前後両側に飾り台座を介してシリンダ錠等の錠止手段を設け、この錠止手段の鍵孔に鍵を挿入して、その鍵により錠止手段を操作するようにしている（特許文献１）。
【０００４】
この施錠装置は、施錠用掛け具を含む作動機構部が組み込まれたケースを施錠掛け枠内に装着する一方、飾り台座に解除レバーと錠止手段とを組み込み、この飾り台座を施錠掛け枠の前後両側に装着したときに、その解除レバーと錠止手段とがケース側の作動機構部と連携するように構成している。
【０００５】
また飾り台座は外側からネジを挿入して施錠掛け枠の前後両側に固定するのが一般的である（特許文献２）。
【特許文献１】実公平７−４３４０２号公報
【特許文献２】特開２００４−２７０２３０号公報
【発明の開示】
【発明が解決しようとする課題】
【０００６】
錠止手段を備えた施錠装置では、鍵がない限り錠止手段を解除できないので、施錠を解除して不法に侵入する等の惧れは少なくできる。しかし、通常は外側から飾り台座にネジを挿入して飾り台座を施錠掛け枠の前後両側に固定しているため、ドライバー等でネジを外部から操作することにより飾り台座を施錠掛け枠から簡単に取り外すことができる。そのため錠止手段があるにも拘わらず、飾り台座を取り外して施錠用掛け具の係合を解除される等の惧れがある。
【０００７】
本発明は、このような従来の問題点に鑑み、施錠掛け枠の前後両側の飾り台座を外部から取り外すことができず、従来に比較して安全性を飛躍的に向上できる門扉を提供することを目的とする。
【課題を解決するための手段】
【０００８】
本発明は、施錠受け枠７に施錠受け具７０を、前記施錠受け枠７に当接する施錠掛け枠１５内に前記施錠受け具７０に係脱自在に係合する施錠掛け具７１を夫々備え、前記施錠掛け枠１５の前後方向の両側に、前記施錠掛け具７１を解除操作する解除操作手段７２と、鍵操作により前記施錠掛け具７１を施錠状態に錠止する錠止手段７３と、該錠止手段７３を鍵操作可能に覆う飾り台座７４とを備え、前記各飾り台座７４に前記各解除操作手段７２及び前記各錠止手段７３を装着した門扉において、内側の閉鎖空間２７を開放可能に備えた前記施錠掛け枠１５の前後両側に、前記各飾り台座７４を前記施錠掛け枠１５の内側からのみ着脱操作可能な固定具８１，１４７により固定し、前記施錠掛け枠１５は前記施錠受け枠７に当接する側で前記閉鎖空間２７を閉塞可能にしたものである。
【０００９】
前記閉鎖空間２７内に前記施錠掛け具７１に連動する作動機構７６を配置し、前記飾り台座７４を前記施錠掛け枠１５に固定したときに、前記作動機構７６側の解除軸７７及び錠止軸７８が前記解除操作手段７２及び前記錠止手段７３に夫々係合するようにしもよい。
【００１０】
前記施錠掛け枠１５は前後方向に複数個に分割された分割体２６と、その内部に形成された前記閉鎖空間２７とを備え、前記施錠掛け枠１５の前後の側壁２８を含む前記分割体２６の前記側壁２８に前記閉鎖空間２７側からネジ８１により前記飾り台座７４を固定してもよい。
【００１１】
前記施錠掛け枠１５は前記側壁２８の一端側に内重なり部３０が、他方に外重なり部３１が夫々屈曲形成された断面略コ字状の一対の前記分割体２６を備え、該両分割体２６の前記内重なり部３０と前記外重なり部３１との重なり部３０，３１を、該重なり部３０，３１に対して前記施錠受け枠７側からネジ４４，１４５により締結合してもよい。
【００１２】
前記施錠掛け枠１５の前後一対の縦枠材１１７間に、前記施錠掛け具７１の作動機構７６が収容された施錠掛け箱１１１を設け、前記縦枠材１１７の前後方向の外側に前記飾り台座７４を配置し、前記施錠掛け箱１１１内の前記閉鎖空間２７側から前記各縦枠材１１７に挿通された前記固定具１４７により前記飾り台座７４を該縦枠材１１７に固定してもよい。
【００１３】
前記施錠掛け箱１１１は前記施錠掛け具７１が取り付けられた取り付け板１２７と、該取り付け板１２７の裏側に配置され且つ該取り付け板１２７に対して前記施錠受け枠７側から固定具１３３により固定された裏板１２９とを備え、前後両端が前記縦枠材１１７側で閉塞されることもある。
【００１４】
前記施錠掛け枠１５は外側から前記取り付け板１２７又は前記裏板１２９に固定され且つ前記各縦枠材１１７の凹溝１１７ａに嵌合する閉塞板１３１を前後両側に備え、該閉塞板１３１側からネジ１３７により前記飾り台座７４を前記縦枠材１１７に固定してもよい。
【００１５】
前記縦枠材１１７の非平坦部１２１ａと前記飾り台座７４との間に、前記非平坦部１２１ａに当接する取り付け台座１５０を介在し、前記ネジ１４７の共締めにより前記飾り台座７４と前記取り付け台座１５０とを前記縦枠材１１７に固定してもよい。
【発明の効果】
【００１６】
本発明では、飾り台座７４を閉鎖空間２７側から固定具８１，１４７により施錠掛け枠１５に固定しているため、施錠掛け枠１５の前後両側の飾り台座７４を外部から取り外すことができなくなり、従来に比較して安全性を飛躍的に向上できる利点がある。
【発明を実施するための最良の形態】
【００１７】
以下、本発明の実施例を図面に基づいて詳述する。図１〜図１２は水平パンタグラフ式の伸縮門扉に採用した本発明の第１の実施例を例示する。
【００１８】
この伸縮門扉は、図１（Ａ）〜（Ｃ）に示すように、出入口１の左右両側で地面２上に立設された吊り元支柱３及び戸当たり支柱４と、吊り元支柱３及び戸当たり支柱４間に左右方向に伸縮自在に配置され且つ出入口１を開閉する扉体５とを有する。戸当たり支柱４には、上下一対の連結部材６を介して施錠受け枠７が固定的に連結されている。
【００１９】
扉体５は左右方向に伸縮自在に構成された上下一対の水平パンタグラフ機構８と、この両水平パンタグラフ機構８の中間部分を上下に連結する左右方向に複数本の連結桟９，１０と、両水平パンタグラフ機構８の両端部分を上下に連結する連結枠１１とを備えている。
【００２０】
なお、扉体５は吊り元側の連結枠１１が上下方向のヒンジ１２、連結部材１３を介して吊り元支柱３に回動自在に連結され、図１（Ａ）（Ｂ）に二点鎖線で示す収縮状態（開状態）と、図１（Ａ）（Ｂ）に実線で示す伸長状態（閉状態）との間で伸縮自在であり、また収縮状態でヒンジ１２廻りに回転収納可能である。
【００２１】
扉体５の戸当たり側の連結枠１１には、施錠受け枠７に当接して施錠装置１４により施錠可能な施錠掛け枠１５が固定されている。また施錠掛け枠１５には上下方向の中間の前後両側に開閉操作用の把手１６が設けられ、下部側に端部落とし棒装置１７が組み込まれている。なお、扉体５の中間には落とし棒１８ａを有する中間落とし棒装置１８が設けられ、また略中央部及び戸当たり端側には地面２上を走行する走行車輪１９が設けられている。
【００２２】
水平パンタグラフ機構８は、図２（Ａ）（Ｂ）に示すように、平面視Ｘ字状に交差して配置された左右方向に複数組の一対の中間リンク部材２１と、両端に八の字状に配置された一対の端部リンク部材２２とを有し、連結桟９，１０、枢軸２３を介して縦軸心廻りに水平方向に屈伸しながら伸縮自在である。一対の中間リンク部材２１は略中央の交差部で連結桟９により相対回動自在に連結され、また左右方向に隣り合う各組の中間リンク部材２１は先端部で連結桟１０により相対回動自在に連結されている。
【００２３】
一対の端部リンク部材２２は、その内端側が対応する端部側の中間リンク部材２１の先端部に連結桟１０により相対回動自在に連結され、また外端側の円筒部２４が前後に近接して配置された連結枠１１の上下両端の枢軸２３に相対回動自在に套嵌されて連結されている。
【００２４】
連結枠１１は一対の水平パンタグラフ機構８を端部側で上下方向に連結するもので、上下の両水平パンタグラフ機構８間で上下方向に配置され、その上下両端に前後一対の枢軸２３が固定されている。前後の枢軸２３は円筒部２４の上下両側で連結板２５により連結されている。
【００２５】
施錠掛け枠１５は図３、図４に示すように横断面形状が矩形筒状であって、略点対称に形成された前後一対の分割体２６を結合して、内部に閉鎖空間２７を有する中空状に構成されている。各分割体２６は断面略コ字状であって、施錠掛け枠１５の前後となる側壁２８と、側壁２８の幅方向の一端側から内側に屈曲形成された段部２９及び内重なり部３０と、側壁２８の幅方向の他端側から内側に屈曲形成された外重なり部３１とを有する。
【００２６】
そして、施錠掛け枠１５は、段部２９から先端側で内重なり部３０と外重なり部３１とを内外に重合して一対の分割体２６が組み合わされ、その左右両側の重なり部３０，３１同士が、この重なり部３０，３１に対して施錠受け枠７側から後述のネジにより上下方向の複数箇所で締結合されている。
【００２７】
連結枠１１と施錠掛け枠１５は、図３、図４に示すように、両者の相対向する側壁３４，３５同士を当接して、連結枠１１の上下方向に複数個の締結ユニット３６と、下端部の係合手段３７とにより固定されている。なお、側壁３４はその突部３４ａ、突部３９を介して側壁３５に当接されている。
【００２８】
締結ユニット３６は図１（Ｂ）、図３に示すように、連結枠１１の上端部で上側の水平パンタグラフ機構８の近傍位置と、これから下方に所定間隔離れた略中央部、例えば把手１６と端部落とし棒装置１７との間等の中間位置とに設けられており、係合手段３７は連結枠１１の下端部で下側の水平パンタグラフ機構８の近傍位置に設けられている。
【００２９】
施錠掛け枠１５の左右の側壁３５には前後両端に突部３８が上下方向の略全長に設けられ、その一方の側壁３５の突部３８間に連結枠１１が嵌合している。連結枠１１の側壁３４には、その前後の枢軸２３間で施錠掛け枠１５の重なり部３０，３１の前後両側に対応する前後一対の突部３９と、この突部３９間を連絡する連絡壁４０とが上下方向の略全長に形成され、連結枠１１の内部側に連絡壁４０に対応して上下方向の凹入溝４１が形成されている。
【００３０】
各締結ユニット３６は、凹入溝４１内の当て板４３と、重なり部３０，３１を貫通して当て板４３に螺合する上下２本の締結ネジ４４とを有し、両側壁３４，３５を締結合するようになっている。なお、施錠掛け枠１５には締結ユニット３６と反対側の側壁３５に、締結ネジ４４の操作用の操作孔４５ａが形成され、その操作孔４５ａは着脱自在な栓４６ａにより塞がれている。
【００３１】
係合手段３７は、施錠掛け枠１５の側壁３５等に形成された係合孔４５と、連結枠１１の側壁３４に固定された係合片４６とを有し、係合片４６が係合孔４５の上縁に係合するようになっている。なお、施錠掛け枠１５の上下両端側にはキャップ４７が嵌合され、左右両側から各重なり部３０，３１に挿通されたネジ４８により固定されている。
【００３２】
端部落とし棒装置１７は扉体５を伸長状態にしたとき、収縮状態にしたとき、又は回転収納したときに施錠掛け枠１５の前後移動を規制するためのもので、図４〜図７にも示すように、施錠掛け枠１５内の下部に固定された保持枠５０と、この保持枠５０内に上下方向に摺動自在に挿入された落とし棒５１と、落とし棒５１を上下方向に操作する操作摘まみ５２と、落とし棒５１を上昇位置で係脱自在に保持する係合式の保持手段５３とを備え、落とし棒５１が地面２側の落とし孔５４等に係脱するようになっている。
【００３３】
保持枠５０は矩形筒状で、左右両側が施錠掛け枠１５の左右の重なり部３０，３１に内側から嵌合され、上下両端側で左右両側から重なり部３０，３１に挿通されたネジ５５により施錠掛け枠１５に固定されている。落とし棒５１は保持枠５０の棒案内部５６により上下方向に摺動自在に支持され、下端部が地面２の落とし孔５４に係合する下降位置と、落とし孔５４から上方に外れた上昇位置との間で上下動自在である。
【００３４】
保持手段５３は、上昇位置の落とし棒５１の上方近傍で保持枠５０に前後方向に貫通して固定された係合ピン５７と、上下方向の中間部が落とし棒５１内で係合ピン５７と略平行な支軸５８により係合ピン５７に対して係脱方向に揺動自在に枢支された係合具５９と、この係合具５９を係合方向に付勢するバネ６０とを備えている。
【００３５】
係合具５９は縦長状であって、下側の略半分が落とし棒５１の上部側に挿入され、上下方向の略中央が支軸５８により落とし棒５１に枢支されている。また係合具５９にはその上端部に係合部６１が、中間にストッパー６２が、下端部にバネ支持部６３が夫々設けられている。なお、支軸５８には係合具５９の両側にリング状のスペーサ６４が套嵌されている。
【００３６】
係合部６１は、落とし棒５１の上下動時にバネ６０に抗して係合ピン５７に係脱自在である。ストッパー６２は係合部６１が係合ピン５７から離脱したときに落とし棒５１の上端に当接して、落とし棒５１の上昇時に係合ピン５７に接触して係合部６１が係合ピン５７に係合可能な姿勢に係合具５９を保持するためのものである。バネ支持部６３は係合具５９にＬ字状に屈曲して形成され、このバネ支持部６３に落とし棒５１の内周と係合具５９との間に介在されたバネ６０が套嵌されている。
【００３７】
操作摘まみ５２は施錠掛け枠１５の前後両側に近接して配置され、落とし棒５１、保持枠５０の案内溝６５、施錠掛け枠１５の前後両側の案内板６６を前後方向に貫通して外側に突出する連結ピン６７の前後両側に固定されている。案内板６６には案内溝６５に対応して上下方向の長孔６８が形成されている。案内板６６は施錠掛け枠１５の前後にネジ６６ａで固定されている。
【００３８】
施錠装置１４は、図８〜図１１に示すように、施錠掛け枠１５に対向して施錠受け枠７内に固定された施錠受け具７０と、施錠掛け枠１５の対向側の側壁３５から施錠受け枠７側に突出して設けられ且つ施錠受け具７０に係脱自在に係合する上下一対の施錠掛け具７１とを備え、施錠掛け枠１５の前後方向の両側に、施錠掛け具７１を解除操作する解除操作手段を構成する解除レバー７２と、鍵操作により施錠掛け具７１を施錠状態に錠止する錠止手段を構成するシリンダ錠７３とが飾り台座７４を介して装着されている。
【００３９】
施錠掛け具７１は先端にフック部７１ａを有し、そのフック部７１ａが施錠受け具７０に上下両側から係脱自在に係合するように、基部側がケース７５内で上下方向に回動自在に枢支され、図外のバネにより係合方向に付勢されている。ケース７５にはその内部に施錠掛け具７１に連動する作動機構７６が組み込まれると共に、解除レバー７２用の解除軸７７と、錠止用の錠止軸７８とが前後方向に挿通されている。なお、解除軸７７、錠止軸７８は例えば角軸が用いられており、作動機構７６側の角孔に挿脱自在に挿通されている。
【００４０】
ケース７５は施錠掛け枠１５内の閉鎖空間２７に配置され、重なり部３０，３１の外側に当接する当て板７９との間で側壁３５を挟んで、施錠掛け具７１の上下両側で当て板７９側から重なり部３０，３１を経てケース７５に螺合する上下複数本（例えば２本）のネジ８０により施錠掛け枠１５に着脱自在に固定されている。なお、施錠掛け具７１はケース７５、当て板７９の開口７９ａから施錠受け枠７側に突出している。
【００４１】
飾り台座７４は上下方向に長い縦長状であって、施錠掛け枠１５の前後の側壁２８に外側から当接して、その側壁２８に施錠掛け枠１５の閉鎖空間２７内から挿通された上下方向に複数本（例えば上下両端部の２本）のネジ８１により着脱自在に固定されている。
【００４２】
解除レバー７２はその基部側の軸部７２ａにより解除軸７７と略同一軸心廻りに回動自在に飾り台座７４に支持されると共に、軸部７２ａ内の角孔等を介して解除軸７７と着脱自在に連結されている。この解除レバー７２は図８に示すように通常位置から下側の解除位置へと操作したときに、フック部７１ａの間隔が上下に開く解除方向に解除軸７７、作動機構７６を介して一対の施錠掛け具７１を回動させて、施錠掛け具７１に対する係合を解除する。
【００４３】
シリンダ錠７３は飾り台座７４の鍵挿入孔８３から鍵穴７３ａに鍵８４を挿入可能に飾り台座７４内に保持されており、錠止軸７８の略同一軸心上に配置されると共に、内側のプラグ８５を介して錠止軸７８の端部に着脱自在に連結されている。このシリンダ錠７３は鍵穴７３ａに鍵８４を挿入して錠止方向に操作したときに、錠止軸７８、作動機構７６を介して一対の施錠掛け具７１を係合状態で回動不能に拘束して錠止し、反対方向に操作したときに錠止を解除する。
【００４４】
把手１６は図８〜図１０に示すように、飾り台座７４の下側に隣接して施錠掛け枠１５の側壁２８に固定されており、上下一対のブラケット８６と、このブラケット８６の先端部間に設けられた上下方向の把手棒８７とを備えている。各ブラケット８６は施錠掛け枠１５の側壁２８に当接して、施錠掛け枠１５の閉鎖空間２７側から挿通されたネジ８８により着脱自在に固定されている。なお、上側のブラケット８６の基部は飾り台座７４の下端部に当接している。
【００４５】
施錠掛け枠１５は、その対向面側が施錠受け枠７に当接するが、前後両側の突部３８間が凹入状になっているため、対向面側の側壁３５にネジ４８，５５，８０、栓４６ａ、当て板７９等があっても、それらが施錠受け枠７と干渉することはない。なお、側壁３５の重なり部３０，３１には施錠掛け具７１を通すための切り欠き部が形成されている。
【００４６】
上記構成の伸縮門扉において、出入口１を閉じる場合には、施錠掛け枠１５の把手１６を把持して扉体５を施錠受け枠７側へと伸ばし、施錠掛け枠１５を施錠受け枠７に当接して施錠装置１４により両者を施錠する。
【００４７】
扉体５を伸ばす場合、各水平パンタグラフ機構８の前後一対の端部リンク部材２２の先端部を連結枠１１側の前後の枢軸２３に連結し、その連結枠１１に施錠掛け枠１５を固定しているため、施錠掛け枠１５を水平パンタグラフ機構８に対して所定の角度に保持できる。従って、施錠掛け枠１５を施錠受け枠７に合わせて行けば、両者の対向端側を容易且つ確実に当接させることができる。
【００４８】
施錠装置１４の一対の施錠掛け具７１は通常、図外のバネによりフック部７１ａが閉じた状態にある。そして、施錠掛け枠１５を施錠受け枠７側に接近させて行けば、一対のフック部７１ａの先端側の傾斜面に施錠受け枠７の施錠受け具７０が当接して一対の施錠掛け具７１が上下両側へと回動し、フック部７１ａが施錠受け具７０に係合し施錠することができる。
【００４９】
施錠を解除する場合には、解除レバー７２を通常位置から図８の二点鎖線で示す解除位置へと操作する。これにより解除軸７７、作動機構７６を介して上下一対の施錠掛け具７１が離脱方向に回動して、フック部７１ａの施錠受け具７０に対する係合を解除できる。
【００５０】
施錠状態で錠止する場合には、シリンダ錠７３の鍵孔７３ａに鍵８４を挿入して錠止方向に操作する。これによって錠止軸７８、作動機構７６を介して上下一対の施錠掛け具７１が回動不能に錠止され、解除レバー７２を操作しても施錠掛け具７１の施錠受け具７０に対する係合を解除することはできない。
【００５１】
施錠掛け具７１を施錠受け具７０に掛けて施錠した後は、端部落とし棒装置１７の落とし棒５１を落とし孔５４に落とし込んで、施錠受け枠７に当接した状態で扉体５の施錠掛け枠１５側をロックする。落とし棒５１を落とし孔５４に落とし込む場合には、操作摘まみ５２を把持して施錠掛け枠１５に沿って下方へと押し下げる。
【００５２】
すると係合部６１が係合ピン５７に対して摺動し、係合具５９がバネ６０に抗して支軸５８廻りに離脱方向へと回動するため、係合部６１が係合ピン５７から離脱して下方へと通過する。従って、操作摘まみ５２を下方へと操作して落とし棒５１の下端部を地面２側の落とし孔５４に落とし込めばよい。
【００５３】
係合ピン５７から離脱した係合具５９は、そのストッパー６２が落とし棒５１の上端に当接した状態にある。そこで、落とし棒５１を落とし孔５４から抜いてロックを解除する場合には、操作摘まみ５２を把持して保持枠５０に沿って上昇させる。すると連結ピン６７が案内溝６５によって案内されるため、係合具５９を所定の姿勢に維持したままで操作摘まみ５２、落とし棒５１が一体に上昇し、落とし棒５１が落とし孔５４から抜ける。
【００５４】
操作摘まみ５２を上昇位置の近傍まで上昇させると、係合具５９がバネ６０に抗して支軸５８廻りに回動する。そして、係合部６１が係合ピン５７を通過すると、係合具５９がバネ６０で戻されてその係合部６１が係合ピン５７に係合し、これによって落とし棒５１、操作摘まみ５２を上昇位置に保持することができる。
【００５５】
施錠装置１４を施錠掛け枠１５に組み付ける際には、先ず図１２に示すように解除レバー７２、シリンダ錠７３を備えた飾り台座７４を各分割体２６の側壁２８に当接し、側壁２８の内側からネジ８１を挿入して飾り台座７４を各分割体２６の側壁２８に固定する。なお、把手１６も同様にして各分割体２６にネジ８８により固定する。
【００５６】
次に両分割体２６間にケース７５を配置し、その解除軸７７、錠止軸７８の両端を解除レバー７２、シリンダ錠７３のプラグ８５に夫々嵌合させながら、両分割体２６の内重なり部３０と外重なり部３１とを重合して、その重なり部３０，３１の外側に当て板７９を当てて外側から挿入したネジ８０によりケース７５を施錠掛け枠１５の側壁３５の重なり部３０，３１に固定する。
【００５７】
このように各飾り台座７４を施錠掛け枠１５内の閉鎖空間２７側からネジ８１で前後の各側壁２８に固定することにより、飾り台座７４の固定用のネジ８１が外部に露出するようなことを防止できる。従って、外部からドライバーによりネジ８１を操作して飾り台座７４が不正に取り外されるような惧れはなく、従来に比較して安全性が一段と向上する利点がある。
【００５８】
施錠掛け枠１５は前後方向に２個に分割された分割体２６を備え、施錠掛け枠１５の前後の側壁２８を含む各分割体２６のその側壁２８に飾り台座７４を固定しているため、施錠掛け枠１５内の閉鎖空間２７側からネジ８１により飾り台座７４を固定しているにも拘わらず、飾り台座７４を施錠掛け枠１５に対して容易に固定できる。
【００５９】
また施錠掛け枠１５は側壁２８の幅方向の一端側に内重なり部３０が、他端側に外重なり部３１が夫々屈曲形成された断面略コ字状の一対の分割体２６を備え、その両分割体２６の内重なり部３０と外重なり部３１とを重合して結合しているため、簡単な形状の分割体２６を使用して施錠掛け枠１５を構成できる。
【００６０】
更に施錠掛け具７１、作動機構７６を備えたケース７５を当て板７９側からネジ８０により側壁３５に固定し、また施錠掛け枠１５と連結枠１１とを締結ユニット３６の締結ネジ４４で固定する等、施錠掛け枠１５の左右両側の重なり部３０，３１を、その重なり部３０，３１に対して施錠受け枠７側から螺合するネジ４４，４８，５５，８０により締結合しているが、施錠状態では施錠掛け枠１５と施錠受け枠７とが当接することから、これらのネジ４４，４８，５５，８０が外側からの操作により不正に外されるような惧れもない。このため安全性を確保しながらも容易に組み立てることができる。
【００６１】
また施錠掛け枠１５と連結枠１１との固定用の締結ネジ４４、キャップ４７用のネジ４８、保持枠５０用のネジ５５、ケース７５用のネジ８０を利用して、両分割体２６の重なり部３０，３１を締結合しているため、それらのネジ４４，４８，５５，８０とは別に結合用のネジを設ける場合に比較して構造的にも簡単であり、組み立て作業も容易にできる。
【００６２】
図１３（Ａ）（Ｂ）は本発明の第２の実施例を例示する。図１３（Ａ）の施錠掛け枠１５では、分割体２６の内重なり部３０側が長く、外重なり部３１側が短くなっている。そして、両重なり部３０，３１は施錠掛け枠１５の前後方向の中央から片側に偏位した位置で重合し、施錠受け枠７側から螺合されたネジ９０により締結されている。ネジ９０は締結ユニット３６、ケース７５から離れた位置に配置されている。
【００６３】
図１３（Ｂ）の施錠掛け枠１５は、前後左右の各側壁２８，３５毎の４個の分割体２６に分割され、その前後の側壁２８の左右両端間に左右の側壁３５が結合部９１を介して前後に結合されている。各結合部９１は、例えば前後の側壁２８の結合溝９２に左右の側壁３５の突条９３を嵌合させて、上下両端のキャップ４７、その他で各側壁２８，３５相互の相対上下動が規制されている。
【００６４】
施錠掛け枠１５はこのように分割して構成してもよい。従って、施錠掛け枠１５は第１の実施例に例示した断面略コ字状の分割体２６により構成したものでもよいし、それ以外の分割構造を採用したものでもよい。
【００６５】
図１４〜図１９は本発明の第３の実施例を例示し、両開き型の垂直パンタグラフ式の伸縮門扉に採用したものである。
【００６６】
この伸縮門扉は、図１４（Ａ）〜（Ｃ）に示すように、出入口１の左右両側で地面２上に立設された左右一対の吊り元支柱３と、吊り元支柱３間で地面２に敷設された前後一対のレール９５と、左右方向に伸縮自在に構成され且つ車輪１０８を介してレール９５上を伸縮方向に走行する左右一対の扉体５とを有する。
【００６７】
各扉体５は例えば略同じ長さであって、複数本の斜架材９６，９７を交差状に組み合わせてなる垂直パンタグラフ機構９８と、左右方向に等間隔を置いて配置された複数本の縦枠９９とを備え、吊り元端側の縦枠９９が吊り元支柱３に連結されている。また左右の扉体５の内、一方の扉体５の移動端側の縦枠９９は施錠受け枠７に、他方の扉体５の移動端側の縦枠９９は施錠掛け枠１５に夫々に連結具１００を介して連結されている（図１７参照）。そして、両扉体５は施錠受け枠７と施錠掛け枠１５とを対向状に当接することにより、施錠装置１４によって閉状態で施錠可能である。
【００６８】
各縦枠９９は前後一対の縦枠材１０１の上下両端を前後に連結して構成され、その内部に垂直パンタグラフ機構９８が設けられている。各縦枠材１０１は矩形筒状の縦桟１０２と、この縦桟１０２の垂直パンタグラフ機構９８と反対側（扉体５の前面側及び後面側）に結合されたカバー１０３，１０４とを備えている。なお、前カバー１０３は前端側が円弧状に構成され且つ前後方向に長い筒状であり、後カバー１０４は偏平状である。
【００６９】
垂直パンタグラフ機構９８は斜架材９６，９７の交差部がピン軸１０５，１０６により枢着され、各縦枠９９に対応する上下方向に複数個の交差部の内、その１個の交差部のピン軸１０５が前後の縦桟１０２に上下動不能に連結され、他の交差部のピン軸１０６が前後の縦桟１０２の凹溝１０２ａに上下摺動自在に連結されている。なお、車輪１０８は移動端側及び中間に配置され、縦枠９９の前後の縦桟１０２の下端部に取り付けられている。
【００７０】
施錠装置１４は、図１５〜図１９に示すように、第１の実施例と同様に施錠受け枠７側に設けられた施錠受け具７０、施錠掛け枠１５側に設けられた施錠掛け具７１、作動機構７６が収容されたケース７５、解除レバー７２、シリンダ錠７３及び飾り台座７４等とにより構成されている。
【００７１】
施錠受け具７０は施錠受け枠７の施錠受け箱１１０の閉鎖空間２７内に、施錠掛け具７１を支持し且つ作動機構７６を収容するケース７５は、施錠掛け枠１５の施錠掛け箱１１１の閉鎖空間２７内に夫々設けられている。また施錠掛け枠１５の前後両側には解除レバー７２、シリンダ錠７３を保持する飾り台座７４が把手１６と共に取り付けられている。なお、施錠受け枠７の前後両側には、施錠掛け枠１５の飾り台座７４、把手１６に対応して飾り台座１１３、把手１１４が取り付けられている。
【００７２】
施錠受け枠７、施錠掛け枠１５は扉体５の縦枠９９と略同一の構成であって、その前後の縦枠材１１６，１１７は縦枠９９の縦枠材１０１と同様に縦桟１１８，１１９と、この縦桟１１８，１１９に結合されたカバー１２０，１２１とを備え、上下両端が前後に連結されている。そして、施錠受け枠７の縦枠材１１６間に施錠受け箱１１０が、施錠掛け枠１５の縦枠材１１７間に施錠掛け箱１１１が夫々相対向して固定されている。
【００７３】
施錠受け枠７、施錠掛け枠１５の前後のカバー１２０，１２１の内、後側のカバー１２０，１２１は裏面が平坦状であるのに対して、前側のカバー１２０，１２１はその前面側が円弧状に突出する非平坦部１２０ａ，１２１ａとなっている。
【００７４】
施錠受け箱１１０、施錠掛け箱１１１は縦枠材１１６，１１７の左右幅と略同じ偏平状であって、対向面側が偏平な断面コ字状の取り付け板１２６，１２７と、内部空間２７を介して取り付け板１２６，１２７の裏側を塞ぐ裏板１２８，１２９と、取り付け板１２６，１２７と裏板１２８，１２９との前後両端を塞ぐ閉塞板１３０，１３１とを有する。
【００７５】
取り付け板１２６，１２７と裏板１２８，１２９は取り付け板１２６，１２７の対向面側の上下隅部で裏板１２８，１２９の取り付け片１３４，１３５にリベット１３２，１３３又はネジにより固定されている。
【００７６】
閉塞板１３０，１３１は上下両端部で閉塞板１３０，１３１側からネジ１３６，１３７により取り付け板１２６，１２７の取り付け部１２６ａ，１２７ａに固定されている。閉塞板１３０，１３１は縦桟１１８，１１９の凹溝１１８ａ，１１９ａに上下方向に挿入されている。
【００７７】
閉塞板１３０は取り付け板１２６の対向面側からネジ１３８により縦桟１１８に固定されている。ネジ１３８は縦桟１１８の凹溝１１８ａ側に形成された上下方向の長孔１１８ｂに挿入されており、施錠受け具７０は長孔１１８ｂの範囲内で施錠受け箱１１０を介して上下方向に位置調整可能である。また閉塞板１３１は裏板１２９と同じ側（反対向面側）からネジ１３９により縦桟１１９に固定されている。
【００７８】
なお、閉塞板１３０，１３１はネジ１３６，１３７により裏板１２８，１２９に固定してもよいし、取り付け板１２６，１２７と裏板１２８，１２９との両方に固定してもよい。
【００７９】
施錠受け箱１１０の取り付け板１２６には、開口１４２ａ内に施錠受け具７０を有する施錠受け板１４２がネジ１４３により固定されている。なお、施錠受け具７０は施錠受け箱１１０内に設けられている。
【００８０】
施錠掛け箱１１１内には、施錠掛け具７１、作動機構７６を有するケース７５が収容され、またケース７５は施錠掛け箱１１１の取り付け板１２７を挟んで外側に当接する当て板１４４と、この当て板１４４側から挿入されたネジ１４５とにより取り付け板１２７に固定されている。
【００８１】
飾り台座７４には解除レバー７２とシリンダ錠７３とが設けられている。飾り台座７４は施錠掛け箱１１１内の閉鎖空間２７側、即ち閉塞板１３１側から縦枠材１１７の縦桟１１９、カバー１２１を貫通して飾り台座７４に螺合するボルト等のネジ１４７により縦枠材１１７に固定されている。飾り台座７４の下側には、上下一対のブラケット８６と把持棒８７とからなる把手１６が縦桟１１９側からカバー１２１を貫通するボルト等のネジ１４８により縦枠材１１７に固定されている。
【００８２】
飾り台座７４、ブラケット８６の取り付け面は平坦状であり、前側のカバー１２１と飾り台座７４及びブラケット８６との間には、前側のカバー１２１の非平坦部１２１ａに対応する当接面を有する取り付け台座１５０が介在されている。取り付け台座１５０は飾り台座７４及び把手１６に跨がる長さを有し、非平坦部１２１ａに対応する当接面と反対側が平坦状になっている。そして、この取り付け台座１５０は飾り台座７４及び把手１６のブラケット８６とネジ１４７，１４８により共締めされている。
【００８３】
なお、飾り台座７４を固定する上下一対のネジ１４７、把手１６の上側のブラケット８６を固定するネジ１４８は施錠掛け箱１１１の閉塞板１３１を貫通しているが、下側のブラケット８６を固定するネジ１４８は施錠掛け箱１１１よりも下側にあるため、縦桟１０２、カバー１２１を貫通している。
【００８４】
施錠受け枠７の前後の縦枠材１１６にも同様に施錠受け箱１１０の閉鎖空間２７側からネジ１５１，１５２により飾り台座１１３及び把手１１４が固定されている。そして、前側の縦枠材１１６と飾り台座１１３及び把手１１４との間には、施錠掛け枠１５側と同様の取り付け台座１５４が介在されている。解除軸７７、錠止軸７８の両端は前後の縦枠材１１７の縦桟１１９、カバー１２１内を経て飾り台座７４側の解除レバー７２、シリンダ錠７３のプラグ８５に着脱自在に連結されている。把手１１４は把手１６と同様にブラケット１５５と把手棒１５６とを有する。
【００８５】
なお、施錠受け箱１１０、施錠掛け箱１１１の下側には、孔１５８ａ，１５９ａを有する突出片１５８，１５９が対向面側の端部中央等の適当箇所に下向きに設けられており、両突出片１５８，１５９に南京錠等の錠を掛けて施錠できるようになっている。各突出片１５８，１５９はリベット１６０，１６１等により施錠受け箱１１０、施錠掛け箱１１１の下面に固定されている。
【００８６】
この両開き型の伸縮門扉において、出入口１を閉じる際には左右の扉体５を伸長させて施錠掛け枠１５と施錠受け枠７とを当接し、施錠装置１４の施錠掛け具７１を施錠受け具７０に係合して施錠する。また必要に応じて解除レバー７２により施錠掛け具７１の係合を解除し、シリンダ錠７３の鍵操作により施錠掛け具７１を係合状態で錠止する。
【００８７】
このように施錠掛け枠１５の前後一対の縦枠材１０１間に施錠掛け箱１１１を設け、その施錠掛け箱１１１の閉鎖空間２７内の作動機構７６を介して解除レバー７２の操作、シリンダ錠７３の鍵操作により、施錠掛け具７１の解除、錠止等を行うような場合にも、その解除レバー７２、シリンダ錠７３を支持する飾り台座７４を施錠掛け箱１１１の閉鎖空間２７側からネジ１４７により縦枠材１１７に固定することにより、第１の実施例と同様の安全性を容易に確保できる。
【００８８】
施錠掛け箱１１１はその取り付け板１２７と裏板１２９とを結合するリベット１３３が施錠受け枠７側に露出するが、施錠状態では施錠受け枠７により覆われるため、外部からの操作により施錠掛け箱１１１が不正に開けられる等の惧れもない。
【００８９】
施錠掛け箱１１１は外側からネジ１３７により取り付け板１２７又は裏板１２９に固定され且つ縦枠材１１７の凹溝１１７ａに嵌合する閉塞板１３１を前後両側に備え、この閉塞板１３１側からネジ１４７により飾り台座７４を縦枠材１１７に固定しているため、閉塞板１３１側から施錠掛け箱１１１が不正に開けられる等の惧れがなく、しかも飾り台座７４をネジ１４７により強固に固定でき、縦枠材１１７が中空状であっても、その損傷等を極力防止できる。
【００９０】
また縦枠材１１７が装飾用の非平坦部１２１ａを有する場合でも、その非平坦部１２１ａと飾り台座７４との間に取り付け台座１５０を介在し、ネジ１４７の共締めにより飾り台座７４と取り付け台座１５０とを縦枠材１１７に固定することにより、飾り台座７４を容易且つ確実に固定できる。なお、飾り台座７４は非平坦部１２１ａに安定的に当接する当接部を備えておれば良く、非平坦部１２１ａと略全面で面接触する必要はない。
【００９１】
以上、本発明の実施例について詳述したが、この実施例に限定されるものではなく、本発明の趣旨を逸脱しない範囲で種々の変更が可能である。例えば、各実施例では、水平パンタグラフ式、垂直パンタグラフ式の伸縮門扉における施錠装置１４を例示しているが、施錠掛け枠１５と施錠受け枠７との間で施錠する形式のものであれば、伸縮門扉以外の引き戸式、観音開き式、その他の各種の門扉にも採用可能である。
【００９２】
施錠受け枠７と施錠掛け枠１５は、閉状態のときに近接して対向する関係にあれば良く、必ずしも両者が直接的又は間接的に当接する関係である必要はない。施錠装置１４は施錠掛け具７１を施錠受け具７０に係脱自在に係合して施錠する構造であれば良く、実施例に例示するフック部７１ａを備えた施錠掛け具７１以外のものを使用してもよい。
【００９３】
固定具としてはネジが一般的であるが、ネジ以外のものを使用することも可能である。解除操作手段は解除レバー７２以外のもの、例えば摘まみ等でもよい。錠止手段は施錠掛け具７１を施錠状態で錠止できるものであれば、シリンダ錠７３以外のものでもよい。
【図面の簡単な説明】
【００９４】
【図１】本発明の第１の実施例を示し、（Ａ）は伸縮門扉の平面図、（Ｂ）はその正面図、（Ｃ）はその側面図である。
【図２】（Ａ）は扉体５の要部の拡大平面図、（Ｂ）はその正面図である。
【図３】連結枠と施錠掛け枠との結合部の正面断面図である。
【図４】連結枠と施錠掛け枠との結合部の拡大平面断面図である。
【図５】端部落とし棒装置の上昇状態の正面断面図である。
【図６】保持手段の拡大正面断面図である。
【図７】保持手段の拡大側面断面図である。
【図８】施錠掛け枠側の正面図である。
【図９】施錠掛け枠側の左側面図である。
【図１０】施錠掛け枠部分の拡大左側面断面図である。
【図１１】施錠掛け枠部分の拡大平面断面図である。
【図１２】組み立て工程の施錠掛け枠側の左側面図である。
【図１３】本発明の第２の実施例を示し、（Ａ）（Ｂ）は施錠掛け枠の平面断面図である。
【図１４】本発明の第３の実施例を示し、（Ａ）は伸縮門扉の平面図、（Ｂ）はその正面図、（Ｃ）はその側面図である。
【図１５】施錠受け枠、施錠掛け枠側の要部の正面図である。
【図１６】施錠受け枠、施錠掛け枠側の要部の正面断面図である。
【図１７】施錠受け枠、施錠掛け枠側の要部の平面断面図である。
【図１８】施錠受け枠側の一部破断右側面図である。
【図１９】施錠掛け枠側の一部破断左側面図である。
【符号の説明】
【００９５】
７  施錠受け枠
１５  施錠掛け枠
２６  分割体
２７  閉鎖空間
２８  側壁
３０  内重なり部
３１  外重なり部
４４，１４５  ネジ
７０  施錠受け具
７１  施錠掛け具
７２  解除レバー（解除操作手段）
７３  錠止手段
７４  飾り台座
７６  作動機構
７７  解除軸
７８  錠止軸
８１，１４７  ネジ（固定具）
１１１  施錠掛け箱
１１７  縦枠材
１２７  取り付け板
１２９  裏板
１３１  閉塞板
１３３  リベット（固定具）
１３７  ネジ
１２１ａ  非平坦部
【図１】
0005134342.tif 000002
【図２】
0005134342.tif 000003
【図３】
0005134342.tif 000004
【図４】
0005134342.tif 000005
【図５】
0005134342.tif 000006
【図６】
0005134342.tif 000007
【図７】
0005134342.tif 000008
【図８】
0005134342.tif 000009
【図９】
0005134342.tif 000010
【図１０】
0005134342.tif 000011
【図１１】
0005134342.tif 000012
【図１２】
0005134342.tif 000013
【図１３】
0005134342.tif 000014
【図１４】
0005134342.tif 000015
【図１５】
0005134342.tif 000016
【図１６】
0005134342.tif 000017
【図１７】
0005134342.tif 000018
【図１８】
0005134342.tif 000019
【図１９】
0005134342.tif 000020